(57)【特許請求の範囲】
【請求項１】
輪転印刷機の印刷ユニットの左右のフレーム（１９、２０）の間に分割版胴（３１）を配置し、同分割版胴（３１）を、左右何れか一方の版を装着する版胴本体（３２）と、他方の版を装着するシエル（３４）とにより構成し、同シエル（３４）の内孔部を版胴本体（３２）の小径胴部（３３）に回転及び軸方向移動を可能に嵌挿した輪転機の分割版胴装置において、
前記版胴本体（３２）の両側の軸（３５、３６）を前記左右のフレーム（１９、２０）により回転及び軸方向移動を可能に支持し、同軸（３５、３６）のうち左右何れか一方の軸（３５）を同左右いずれか一方側のフレーム（１９）の外側に延長するとともに、同一方の軸（３５）の内孔部にシエル調整軸（４１）を回転及び軸方向移動を可能に嵌挿して同シエル調整軸（４１）を同一方の軸（３５）の延長方向に延長し、前記シエル（３４）内に半径方向の切欠部（９２）を設け、前記一方の軸（３５）内に半径方向の切欠部（９３）を設けて、同各切欠部（９２、９３）を対向させ、同各切欠部（９２、９３）内に伝達部材（９１）を隙間を置き設置して、同伝達部材（９１）の前記シエル調整軸（４１）側の端部を前記シエル調整軸（４１）に固定し、前記シエル（３４）の外面に固定部材（９４）を固定し、前記伝達部材（９１）の上面にキー溝を設け、前記固定部材（９４）の下面にキー溝を設け、これら伝達部材（９１）と固定部材（９４）とを滑りキーまたはリニアガイド（４０）により軸方向移動のみを可能に連結したことを特徴とする輪転印刷機の分割版胴装置。
【請求項２】
前記版胴本体（３２）の前記一方の軸（３５）に駆動はすば歯車（３９）を軸方向移動のみを可能に取付け、前記シエル調整軸（４１）に調整はすば歯車（４２）を軸方向移動のみを可能に取付け、同駆動はすば歯車（３９）を版胴本体（３２）の円周方向見当合わせ装置の駆動装置（４７’）に連結し、同調整はすば歯車（４２）をシエルの円周方向見当合わせ装置の駆動装置（４７）に連結し、前記版胴本体（３２）の他方の軸（３６）を版胴本体（３２）の軸方向見当合わせ装置の駆動装置（８４）に連結し、前記シエル（３４）の前記一方側のフレーム（１９）側の端面より延出して設けられたシエル軸（７０）を該シエル（３４）の軸方向見当合わせ装置の駆動装置（７４）に連結し、前記左右のフレーム（１９、２０）と前記版胴本体（３２）の両側の軸（３５、３６）との間にそれぞれ偏心軸受（３７、３８）を介装した請求項１記載の輪転印刷機の分割版胴装置。
【請求項３】
前記シエル軸（７０）は、前記一方側のフレーム（１９）に設けられた前記偏心軸受（３７）の回動により該一方側のフレーム（１９）の内側面に沿って移動可能に支持され、
前記一方側のフレーム（１９）の内側に、該フレーム（１９）の内側面に沿って移動可能であるとともに軸方向の移動が拘束されているねじ軸（７３）と、該ねじ軸（７３）に螺合し該ねじ軸（７３）の回転によって軸方向に移動可能に支持された軸受（７２）とを備え、
前記シエル（３４）の軸方向見当合わせ装置の前記駆動装置（７４）は、前記ねじ軸（７３）を回転させることで前記ねじ軸（７３）に螺合した前記軸受（７２）を軸方向に移動させ、これによって前記シエル（３４）を軸方向に移動させ、
前記ねじ軸（７３）と該ねじ軸（７３）に螺合した前記軸受（７２）とは、前記シエル軸（７０）の前記一方側のフレーム（１９）内側面に沿う移動に応じて該フレーム（１９）に沿って移動可能に支持されていることを特徴とする請求項２に記載の輪転印刷機の分割版胴装置。
【請求項４】
前記版胴本体（３２）の軸方向見当合わせ装置は、前記版胴本体（３２）の他方の軸（３６）を第２ねじ軸（４５）により軸方向に移動させる前記駆動装置（８４）を有し、同駆動装置（８４）を前記偏心軸受（３８）の嵌入している他方側の前記フレーム（２０）の外側に設け、同第２ねじ軸（４５）の中心と前記偏心軸受（３８）の中心とを同芯にした請求項２または３に記載の輪転印刷機の分割版胴装置。
【発明の詳細な説明】
【０００１】
【発明の属する技術分野】
本発明は、輪転印刷機の印刷ユニットの左右フレームの間に装着した分割版胴に関するものである。
【０００２】
【従来の技術】
従来の分割版胴装置の一例を図６により説明すると、３が分割版胴で、同分割版胴３は、外周面４ａに版を装着する版胴本体４と、版胴本体４の外周面４ａよりも直径の小さい小径胴部５と、版胴本体４の外周面４ａに対して同径の外周面６ａを有するシエル６とよりなり、同シエル６の内孔部６ｂが版胴本体４の小径胴部５に回転及び軸方向移動を可能に嵌挿されている。
【０００３】
またＡが駆動側、Ｂが操作側、７が版胴本体４の駆動側Ａの軸、８が版胴本体４の操作側Ｂの軸で、これらの軸７、８が左右のフレーム１９、２０にベアリング９、１０を介して回転を可能に取付けられている。またこれらの軸７、８が左右のフレーム１９、２０の嵌合部１９ａ、２０ａに同芯軸受１１、１２を介して軸方向移動を可能に取付けられている。
【０００４】
２がブランケット胴、６０が同ブランケット胴２の駆動側Ａの軸、６１が同ブランケット胴２の操作側Ｂの軸、６２が軸６０に固定したはすば歯車で、同はすば歯車６２に噛合する駆動はすば歯車１３が軸７にスプライン１３ａを介して回転方向には係合し、軸方向には摺動可能に支持されている。
１５が結合部材で、同結合部材１５は、円周方向及び軸方向の見当合わせ時、軸８の孔８ｂに当らないように孔８ｂに嵌挿される。
【０００５】
１６が調整軸で、同調整軸１６は、軸８の内部孔８ａに回転及び軸方向移動を可能に嵌挿されている。そして同調整軸１６とシエル６とが結合部材１５により連結される。
また調整軸１６には、駆動はすば歯車１４がスプライン１４ａを介して回転方向には係合し、軸方向には移動可能に支持され、駆動はすば歯車１４がブランケット胴２の操作側Ｂの軸６１に固定したはすば歯車６３に噛合している。
【０００６】
従って分割版胴３（版胴本体４及びシエル６）がブランケット胴２の駆動側Ａの軸６０に設けたはすば歯車６２と、ブランケット胴２の操作側Ｂの軸６１に設けたはすば歯車６３とにより駆動される。
１７、１７が版胴本体４とシエル６との駆動側Ａ及び操作側Ｂの円周方向見当合わせ装置の駆動装置、１８、１８が駆動側Ａ及び操作側Ｂの軸方向見当合わせ装置の駆動装置で、これら円周方向見当合わせ装置の駆動装置１７、１７及び軸方向見当合わせ装置の駆動装置１８、１８と分割胴３（版胴本体４及びシエル６）との連結部が次のように構成されている。
【０００７】
先ず版胴本体４とシエル６との円周方向見当合わせ装置の駆動装置１７、１７と分割胴３との連結部の構成を説明する。
この連結部の構成は、駆動側Ａ及び操作側Ｂとも同じなので、一方についてだけ説明すると、２１がフレーム１９（及び２０）に固定したブラケット、２４がブラケット２１にキー２２を介して軸方向移動を可能に取付けた調整部材、２３が同調整部材２４と上記歯車１３との間に介装したベアリング、２６が同調整部材２４のねじ部２４ａに螺合するとともにブラケット２１により回転可能に支持された動力伝達部材である。
【０００８】
この版胴本体４とシエル６との円周方向見当合わせ装置では、その駆動装置１７により動力伝達部材２６を回転させ、この回転を調整部材２４に伝えて、駆動側Ａでは、調整軸２４と駆動はすば歯車１３とを軸方向に移動させ、操作側Ｂでは、調整軸２４と駆動はすば歯車１４とを軸方向に移動させる。
このとき、これら駆動はすば歯車１３、１４を駆動側Ａのはすば歯車６２及び操作側Ｂのはすば歯車６３により回転させて、版胴本体４とシエル６との円周方向の見当合わせを行う。
【０００９】
次に版胴本体４とシエル６との軸方向見当合わせ装置の駆動装置１８、１８と分割胴３との連結部の構成を説明する。
この連結部の構成は、駆動側Ａ及び操作側Ｂとも同じなので、一方についてだけ説明すると、軸７の内部孔７ｂ及び調整軸１６の内部孔１６ａには、ベアリング２７を介してねじ軸２８が取付けられている。
【００１０】
２９がねじ軸２８に螺合するとともにブラケット２５により回転可能に支持された調整部材である。
この軸方向見当合わせ装置では、その駆動装置１８により調整部材２９を回転させ、ねじ軸２８を軸方向に移動させて、軸７及び版胴本体４と、調整軸１６及びシエル６とを軸方向に移動させて、版胴本体４とシエル６との軸方向の見当合わせを行う。
【００１１】
【発明が解決しようとする課題】
前記図６に示す従来の分割版胴装置では、分割版胴３の軸７、８が同芯軸受１１、１２により回転可能に支持されているが、分割版胴３とそれに当接するブランケット胴２との間の当接圧（印圧）を調整する必要から、分割版胴３の軸７、８を回転可能に支持している同芯軸受１１、１２を偏心軸受にする場合が多く、偏心軸受にした場合には、分割版胴３と見当合わせ装置の駆動装置装置１７、１８との連結部の構成をそれに対応したものに変えて、見当合わせを円滑に行う必要がある。
【００１２】
本発明は前記の問題点に鑑み提案するものであり、その目的とする処は、▲１▼分割版胴本体の強度を増大できる上に、伝達部材の周りの隙間により版胴本体とシエルとの円周方向及び軸方向の見当合わせ量を十分カバーでき、▲２▼分割版胴の円周方向見当合わせ及び軸方向見当合わせを運転中及び停止中に行うことができ、▲３▼円周方向及び軸方向の見当合わせのための移動を円滑に行うことができる輪転印刷機の分割版胴装置を提供しようとする点にある。
【００１３】
【課題を解決するための手段】
上記の目的を達成するために、本発明は、輪転印刷機の印刷ユニットの左右のフレーム（１９、２０）の間に分割版胴（３１）を配置し、同分割版胴（３１）を、左右何れか一方の版を装着する版胴本体（３２）と、他方の版を装着するシエル（３４）とにより構成し、同シエル（３４）の内孔部を版胴本体（３２）の小径胴部（３３）に回転及び軸方向移動を可能に嵌挿した輪転機の分割版胴装置において、前記版胴本体（３２）の両側の軸（３５、３６）を前記左右のフレーム（１９、２０）により回転及び軸方向移動を可能に支持し、同軸（３５、３６）のうち左右何れか一方の軸（３５）を同左右いずれか一方側のフレーム（１９）の外側に延長するとともに、同一方の軸（３５）の内孔部にシエル調整軸（４１）を回転及び軸方向移動を可能に嵌挿して同シエル調整軸（４１）を同一方の軸（３５）の延長方向に延長し、前記シエル（３４）内に半径方向の切欠部（９２）を設け、前記一方の軸（３５）内に半径方向の切欠部（９３）を設けて、同各切欠部（９２、９３）を対向させ、同各切欠部（９２、９３）内に伝達部材（９１）を隙間を置き設置して、同伝達部材（９１）の前記シエル調整軸（４１）側の端部を前記シエル調整軸（４１）に固定し、前記シエル（３４）の外面に固定部材（９４）を固定し、前記伝達部材（９１）の上面にキー溝を設け、前記固定部材（９４）の下面にキー溝を設け、これら伝達部材（９１）と固定部材（９４）とを滑りキーまたはリニアガイド（４０）により軸方向移動のみを可能に連結している（請求項１）。
【００１４】
前記請求項１記載の輪転印刷機の分割版胴装置において、前記版胴本体（３２）の前記一方の軸（３５）に駆動はすば歯車（３９）を軸方向移動のみを可能に取付け、前記シエル調整軸（４１）に調整はすば歯車（４２）を軸方向移動のみを可能に取付け、同駆動はすば歯車（３９）を版胴本体（３２）の円周方向見当合わせ装置の駆動装置（４７’）に連結し、同調整はすば歯車（４２）をシエルの円周方向見当合わせ装置の駆動装置（４７）に連結し、前記版胴本体（３２）の他方の軸（３６）を版胴本体（３２）の軸方向見当合わせ装置の駆動装置（８４）に連結し、前記シエル（３４）の前記一方側のフレーム（１９）側の端面より延出して設けられたシエル軸（７０）を該シエル（３４）の軸方向見当合わせ装置の駆動装置（７４）に連結し、前記左右のフレーム（１９、２０）と前記版胴本体（３２）の両側の軸（３５、３６）との間にそれぞれ偏心軸受（３７、３８）を介装してもよい（請求項２）。
【００１５】
前記請求項２記載の輪転印刷機の分割版胴装置において、前前記シエル軸（７０）は、前記一方側のフレーム（１９）に設けられた前記偏心軸受（３７）の回動により該一方側のフレーム（１９）の内側面に沿って移動可能に支持され、前記一方側のフレーム（１９）の内側に、該フレーム（１９）の内側面に沿って移動可能であるとともに軸方向の移動が拘束されているねじ軸（７３）と、該ねじ軸（７３）に螺合し該ねじ軸（７３）の回転によって軸方向に移動可能に支持された軸受（７２）とを備え、前記シエル（３４）の軸方向見当合わせ装置の前記駆動装置（７４）は、前記ねじ軸（７３）を回転させることで前記ねじ軸（７３）に螺合した前記軸受（７２）を軸方向に移動させ、これによって前記シエル（３４）を軸方向に移動させ、前記ねじ軸（７３）と該ねじ軸（７３）に螺合した前記軸受（７２）とは、前記シエル軸（７０）の前記一方側のフレーム（１９）内側面に沿う移動に応じて該フレーム（１９）に沿って移動可能に支持されるようにしてもよい（請求項３）。
【００１６】
前記請求項２または３に記載の輪転印刷機の分割版胴装置において、前記版胴本体（３２）の軸方向見当合わせ装置は、前記版胴本体（３２）の他方の軸（３６）を第２ねじ軸（４５）により軸方向に移動させる前記駆動装置（８４）を有し、同駆動装置（８４）を前記偏心軸受（３８）の嵌入している他方側の前記フレーム（２０）の外側に設け、同第２ねじ軸（４５）の中心と前記偏心軸受（３８）の中心とを同芯にしてもよい（請求項４）。
【００１７】
【発明の実施の形態】
次に本発明の輪転印刷機の分割版胴装置を図１〜図５に示す一実施形態により説明する。図１は、同分割版胴装置の概略を示す正面図、図２は、図１のＭ部（駆動側）を示す縦断正面図、図３は、図１のＮ部（操作側）を示す縦断側面図、図４は、図２の矢視Ｘ−Ｘ線に沿う縦断側面図、図５は、図２の矢視Ｙ−Ｙ線に沿う縦断側面図である。なお図１〜図５と図６とで同一符号には同一部分を使用している。
【００１８】
図１の３１が分割版胴で、同分割胴３１は、外周面３２ａに版を装着する版胴本体３２と、版胴本体３２の外周面３２ａよりも直径の小さい版胴本体３２の小径胴部３３と、版胴本体３２の外周面３２ａに同径の外周面３４ａをもつシエル３４とにより構成されており、シエル３４の内孔部３４ｂに版胴本体３２の小径胴部３３が回転及び軸方向移動を可能に嵌挿されている。
【００１９】
図２、図３に示すように版胴本体３２の駆動側の軸３５及び操作軸の軸３６が左右のフレーム１９、２０にベアリング９、１０を介して回転可能に支持されており、これら軸３５、３６が左右のフレーム１９、２０の嵌合部１９ａ、２０ａに偏心軸受３７、３８を介して軸方向移動を可能に支持されている。
また図２の６２が駆動はすば歯車で、同駆動はすば歯車６２は、図６に示すようにようにブランケット胴２の駆動側軸６０に固定されている。図２の３９が同駆動はすば歯車６２に噛合して分割版胴３１を回転させる駆動はすば歯車で、同駆動はすば歯車３９は、滑りキーまたは同キーに準ずる部材例えば下記リニアガイド４０により軸３５に回転方向には係合し軸方向には移動可能に支持されている。
【００２０】
リニアガイド（Ｌｉｎｅａｒ  Ｇｕｉｄｅ）４０には、図４に示すように軸３５に固定したキー６４とベアリング６５とを介して駆動はすば歯車３９の溝３９ａに嵌込する軌道台６６、６７が設けられており、軌道台６７には、同軌道台６７に形成したテーパ面上を同テーパ面に沿って移動する移動台６８があり、この移動台６８をボルト６９により移動させると、溝３９ａの幅に対して適当な嵌め合いになるようにリニアガイド４０の幅が調整可能である（図２、図４、図５参照）。
【００２１】
図２、図４、図５の４１がシエル調整軸で、同シエル調整軸４１は、フレーム１９の外側に延長した軸３５の内孔部に回転及び軸方向移動を可能に嵌挿されており、このシエル調整軸４１には、調整はすば歯車４２が回転方向には係合し、軸方向には摺動可能に支持されている。また駆動はすば歯車３９の穀（ハブＨｕｂ）には、駆動はすば歯車４２が回転及び軸方向移動を可能に嵌入している（図２参照）。
【００２２】
シエル調整軸４１は、ベアリングと中間軸受４３とを介して調整部材４４に連結し、調整部材４４の２又部４４ａが中間軸受４３の凸起部４３ａに隙間Ｓを隔てて嵌入され、偏心軸受３７の回動により軸３５が遊び（隙間）Ｓの方向に移動して、この軸３５の移動により中間軸受４３と調整部材４４との間に起こるこじれが防止されるようになっている。
【００２３】
上記調整部材４４は、ねじ軸４５に螺合し、ねじ軸４５は、キー４６によりブラケット４８に固定したシエル３４の円周方向見当合わせ装置の駆動装置４７の出力軸４７ａに係合するとともに、ブラケット４８にベアリング４９を介して回転可能に支持されている。
従ってねじ軸４５が駆動装置４７により回転すると、調整はすば歯車４２が軸方向に移動する（図２の矢印Ｂ参照）。
【００２４】
一方、シエル調整軸４１には、上面にキー溝９１ａを有する伝達部材９１が固定され、同伝達部材９１がシエル３４の切欠部９２と軸３５の切欠部９３とに隙間を置いて設置され、伝達部材９１と、キー溝９４ａを有し且つシエル３４に固定した固定部材９４とが上記滑りキーまたははリニアガイド４０により連結されている（図５参照）。
【００２５】
５０が調整はすば歯車４２の円弧溝４２ａに軸方向の案内を兼ねて嵌入した連結軸、５１が調整はすば歯車４２のハブ（Ｈｕｂ穀）に回転及び軸方向移動を可能に嵌合した移動筒で、駆動はすば歯車３９が連結軸５０により移動筒５１に連結されている。
移動筒５１の軸５１ａは、ベアリング５２を介して軸受５３により支持され、軸受５３は、筒自身が軸線に対して傾斜した切断面を有し、ブラケット４８に固定したブラケット５６のピン５７によりレバー５４、５５が揺動可能に支持され、レバー５５のピン軸５８により調整部材４４が支持され、調整部材４４がねじ軸４５に螺合している。
【００２６】
従ってねじ軸４５がシエル３４の円周方向見当装置の駆動装置４７により回転すると、その回転がねじ軸４５→レバー５４→レバー５５→軸受５３→移動筒５１→連結軸５０に伝わって、駆動はすば歯車３９が軸方向に移動する。なお４６はキー、４９はベアリングである（図２参照）。７０は図２に示したようにシエル３４のフレーム１９側端面より延出して設けられたシエル軸で、同シエル軸７０はベアリング７１を介して軸方向に移動する。
【００２７】
７２が軸受で、同軸受７２と差働ねじ部７２ａとがねじ軸７３に螺合し、ねじ軸７３は、シエル３４の軸方向見当合わせ装置の駆動装置７４の出力軸７４ａに固定したスプロケットホイール７５と複数の中間スプロケットホイール（図示せず）とを経てチェーンと、同チェーンにより駆動されるねじ軸７３と、同ねじ軸７３に固定したスプロケットホイール７６とにより回転する。
【００２８】
ねじ軸７３は、フレーム１９の内側面に沿って移動し、このねじ軸７３の軸方向の移動は、押え金７７により拘束されている。またねじ軸７３は、フレーム１９の孔１９ａに嵌入する軸受７８にベアリング７９を介して回転可能に支持されている。フレーム１９に固定した案内軸８０は、軸受７２の軸方向の移動を偏心軸受３７の蓋の案内３７ａに沿ってガイドするとともに回動を阻止し、案内軸８１は、偏心軸受３７の回動により変化するシエル軸７０のフレーム１９の内側面に沿う移動に応じて軸受７８を移動させる。
【００２９】
軸受７８には、ポテンショメータ８２が取付けられており、軸受７２に固設された検知軸８３にて、軸受７２従ってシエル軸７０の移動位置を検出する。（図２）
図３の操作側フレーム２０には、版胴本体３２の軸方向見当合わせの駆動装置８４が設けられており、架台８５がフレーム２０に固定され、出力軸８４ａが架台８５に嵌入しているベアリング４９により回転可能に支持され、出力軸８４ａとキー４６とを介してねじ軸４５が回転して、ねじ軸４５に螺合するとともに偏心軸受３８に固定した調整部材８６が軸方向に移動する。
【００３０】
なおねじ軸４５の中心は偏心軸受３８の中心に対して同芯である。上述のようにシエル３４の円周方向見当合わせ装置の駆動装置４７と、版胴本体３２の円周方向見当合わせ装置の駆動装置４７′と、シエル３４の軸方向見当合わせ装置の駆動装置７４と、版胴本体３２の軸方向見当合わせ装置の駆動装置８４とを、駆動はすば歯車３９と、調整はすば歯車４２と、版胴本体３２の軸３６と、シエル軸７０とに接続しているので、（１）版胴本体３２の円周方向の見当合わせは、版胴本体３２の円周方向見当合わせ装置の駆動装置４７′により、ねじ軸４５を回転させ、調整部材４４を軸方向（矢印Ａ方向）に移動させて、レバー５５とレバー５４とを介して軸受５３、移動筒５１、連結軸５０、駆動はすば歯車３９を軸方向（矢印Ｂ方向）に移動させ、同歯車３９の歯の傾斜角により同歯車３９を円周方向に回動させて、版胴本体３２を円周方向に回動させることにより行う。
（２）シエル３４の円周方向の見当合わせは、シエル３４の円周方向見当合わせ装置の駆動装置４７により、ねじ軸４５を回転させ、調整部材４４を軸方向（矢印Ｂ参照）に移動させて、中間軸受４３及びシエル調整軸４１を軸方向に移動させて、調整はすば歯車４２の傾斜角により同歯車４２とシエル調整軸４１とキー４０とを介してシエル３４を円周方向に回動させることにより行う。
（３）版胴本体３２の軸方向の見当合わせは、版胴本体３２の軸方向見当合わせ装置の駆動装置８４により、ねじ軸４５を回転させ、調整部材８６を軸方向（矢印Ｂ参照）に移動させて、偏心軸受３８と軸３６とを軸方向に移動させることにより行う。
（４）シエル３４の軸方向の見当合わせは、シエル３４の軸方向見当合わせ装置の駆動装置７４により、ねじ軸７３を回転させ、軸受７２を偏心軸受３７の蓋の案内面３７ａに沿って軸方向（矢印Ｂ方向）に移動させて、シエル３４の軸を軸方向に移動させることにより行う。
【００３１】
本発明は前記のように輪転印刷機の印刷ユニットの左右のフレーム１９、２０の間に分割版胴３１を配置し、分割版胴３１を、左右何れか一方の版を装着する版胴本体３２と、他方の版を装着するシエル３４とにより構成し、シエル３４の内孔部を版胴本体３２の小径胴部３３に回転及び軸方向移動を可能に嵌挿した輪転機の分割版胴装置において、版胴本体３２の両側の軸３５、３６を前記左右のフレーム１９、２０により回転及び軸方向移動を可能に支持し、同軸３５、３６のうち左右何れか一方の軸３５をフレーム１９の外側に延長するとともに、同一方の軸３５の内孔部にシエル調整軸４１を回転及び軸方向移動を可能に嵌挿して同シエル調整軸４１を同一方の軸３５の延長方向に延長し、シエル３４内に半径方向の切欠部９２を設け、前記軸３５内に半径方向の切欠部９３を設けて、同各切欠部９２、９３を対向させ、同各切欠部９２、９３内に伝達部材９１を隙間を置き設置して、同伝達部材９１の内端部を前記シエル調整軸４１に固定し、前記シエル３４の外面に固定部材９４を固定し、前記伝達部材９１の上面にキー溝を設け、前記固定部材９４の下面にキー溝を設け、これら伝達部材９１と固定部材９４とを滑りキーまたはリニアガイド４０により軸方向移動のみを可能に連結し、版胴本体３２の駆動側の軸３５およびシエル調整軸４１に駆動はすば歯車３９及び調整はすば歯車４２を軸方向移動のみ可能に取付けたので、次の作用が行われる。
（１）「駆動」
ブランケット胴２（図６参照）の駆動はずば歯車６２→版胴本体３２の駆動はすば歯車３９→版胴本体３２の駆動側の軸３５を経て版胴本体３２が回転する一方、ブランケット胴２の駆動はすば歯車６２→シエル調整軸４１の調整はすば歯車４２→伝達部材９１→キーまたはリニアガイド４０→固定部材９４シエル３４が版胴本体３２と同速で回転する。
（２）「見当：ａ」
版胴本体３２の駆動はすば歯車３９或いはシエル３４の調整はすば歯車４２をレバー或いはねじ軸により軸方向に移動する連結機構を介して版胴本体３２の円周方向見当合わせ装置の駆動装置４７′或いはシエル３４の円周方向見当合わせ装置の駆動装置４７に連結するので、ブランケット胴２の駆動はすば歯車６２により駆動はすば歯車３９或いはシエル３４の調整はすば歯車４が円周方向に回動して、円周方向の見当合せが行われる。このとき、偏心軸受３７、３８の回動により生ずる版胴本体３２の軸３５、３６の変位が連結機構に設けた「遊び（隙間）」により吸収される。例えば図２に示すように調整部材４４の二又端とこの二又端に嵌まる中間軸受４３の突起部との間の「遊び（隙間）」Ｓにより吸収される。
（３）「見当：ｂ」
シエル３４の軸方向の見当合せは、駆動側フレーム１９の内側に設けて偏心軸受３７の回転により変位するシエル３４の軸７０と、シエル調整軸４１とともに移動する連結機構により行う。この連結機構は、シエル３４の軸方向見当合わせ装置の駆動装置７４により駆動される。
（４）「見当：ｃ」
版胴本体３２の軸方向の見当合せは、操作側の偏心軸受３８の中心に対して同芯の連結機構のねじ軸４５を版胴本体３２の軸方向見当合わせ装置の駆動装置８４により回転させることにより行う。
【００３２】
上記（２）〜（４）の手段により、連結機構と、版胴本体３２の軸３５、３６と、シエル調整軸４１とがこじれずに円滑に作動する。
【００３３】
【発明の効果】
本発明による輪転印刷機の分割版胴装置は前記のように版胴本体３２及びシエル３４の切欠部９２、９３に円周方向及び軸方向に隙間を置いて設置し且つシエル調整軸４１に固定した伝達部材９１に滑りキーまはたリニアガイド４０を介してシエル３４を取付けたので、分割版胴の強度を増大できる上に、上記隙間により版胴本体３２とシエル３４との円周方向及び軸方向の見当合わせ量を十分カバーできる。
【００３４】
また（１）版胴本体３２の円周方向の見当合わせは、版胴本体３２の円周方向見当合わせ装置の駆動装置４７′により、ねじ軸４５を回転させ、調整部材４４を軸方向に移動させて、レバー５５とレバー５４とを介して軸受５３、移動筒５１、連結軸５０、駆動はすば歯車３９を軸方向に移動させ、同歯車３９の歯の傾斜角により同歯車３９を円周方向に回動させて、版胴本体３２を円周方向に回動させることにより行う。（２）シエル３４の円周方向の見当合わせは、シエル３４の円周方向見当合わせ装置の駆動装置４７により、ねじ軸４５を回転させ、調整部材４４を軸方向に移動させて、中間軸受４３及びシエル調整軸４１を軸方向に移動させて、調整はすば歯車４２の傾斜角により同歯車４２とシエル調整軸４１とキー４０とを介してシエル３４を円周方向に回動させることにより行う。（３）版胴本体３２の軸方向の見当合わせは、版胴本体３２の軸方向見当合わせ装置の駆動装置８４により、ねじ軸４５を回転させ、調整部材８６を軸方向に移動させて、偏心軸受３８と軸３６とを軸方向に移動させることにより行う。（４）シエル３４の軸方向の見当合わせは、シエル３４の軸方向見当合わせ装置の駆動装置７４により、ねじ軸７３を回転させ、軸受７２を偏心軸受３７の蓋の案内面３７ａに沿って軸方向（矢印Ｂ方向）に移動させて、シエル３４の軸を軸方向に移動させることにより行うので、版胴本体３２及びシエル３４の円周方向及び軸方向の見当合わせをそれぞれ別個に行うことができ、それぞれの見当合わせの結果を他の見当合わせに影響を及ぼすことがなくて、これら見当合わせを運転中及び停止中に行うことができる。
【００３５】
また偏心軸受３７、３８の回動による版胴本体３２及びシエル３４の軸とシエル調整軸４１との変位を見当合わせ装置の連結機構に設けた遊び（隙間）Ｓで吸収するようにし、見当合わせ装置をシエル３４の軸の変位に応じて移動するように設置し、偏心軸受３８の中心と見当合わせ装置のねじ軸４５の中心とを同芯に配設したので、円周方向及び軸方向の見当合わせのための移動を円滑に行うことができる。
【図面の簡単な説明】
【図１】本発明の輪転印刷機の分割版胴装置の一実施形態を示す正面図である。
【図２】図１のＭ部（駆動側）を示す縦断正面図である。
【図３】図１のＮ部（操作側）を示す縦断側面図である。
【図４】図２の矢視Ｘ−Ｘ線に沿う縦断側面図である。
【図５】図２の矢視Ｙ−Ｙ線に沿う縦断側面図である。
【図６】従来の輪転印刷機の分割版胴装置の一例を示す縦断正面図である。
【符号の説明】
１９ 駆動側のフレーム
２０ 操作側のフレーム
３１ 分割版胴
３２ 版胴本体
３３ 小径胴部
３４ シエル
３５、３６ 版胴本体３２の軸
３７、３８ 偏心軸受
３９ 駆動はすば歯車
４０ 滑りキーまはたリニアガイド
４１ シエル調整軸
４２ 調整はすば歯車
４４ 調整部材
４５ 駆動装置８４のねじ軸
４７ シエル３４の円周方向見当合わせ装置の駆動装置
４７′ 版胴本体３２の円周方向見当合わせ装置の駆動装置
４８ ブラケット
５０ 連結軸
５１ 移動筒
５３ 軸受
５４、５５ レバー
６４ キー
６５ ベアリング
６６、６７ 軌道台
６８ 移動台
６９ ボルト
７０ シエル軸
７２ 軸受
７３ 駆動装置７４のねじ軸
７４ シエル３４の軸方向見当合わせ装置の駆動装置
７８ 軸受
８０、８１ 案内軸
８２ ポテンショメータ
８３ 検出片
８４ 版胴本体３２の軸方向見当合わせ装置の駆動装置
８６ 調整部材
９１ 伝達部材
９２、９３ 切欠部
９４ 固定部材
【図１】
0003592802.tif 000002
【図２】
0003592802.tif 000003
【図３】
0003592802.tif 000004
【図４】
0003592802.tif 000005
【図５】
0003592802.tif 000006
【図６】
0003592802.tif 000007